(57)【要約】      （修正有）【課題】ヘアピン仮置き部をより身近な位置に配置可能にして、作業性の向上、取扱い性の向上、並びに両手全体の使用を可能にすることができるヘアピン保持具を提供する。【解決手段】ヘアピンの保持部２と、その保持部２を腕に装着する装着部３とを備えたヘアピン保持具であって、ヘアピンの保持部２には、ヘアピンを磁力によって仮保持する磁石５が設けられている。【選択図】図１
2014113208.tif 000002
【特許請求の範囲】
【請求項１】
ヘアピンの保持部と、その保持部を腕に装着する装着部と、を備えたヘアピン保持具であって、
前記ヘアピンの保持部には、ヘアピンを磁力によって仮保持する磁石が設けられていることを特徴とするヘアピン保持具。
【請求項２】
前記ヘアピンの保持部が、前記装着部に対して着脱可能であることを特徴とする、請求項１に記載のヘアピン保持具。
【請求項３】
前記保持部が、板状の本体部と、その本体部に設けられた磁石とにより形成されていることを特徴とする、請求項１又は２に記載のヘアピン保持具。
【請求項４】
前記保持部が、円板状に形成されていることを特徴とする、請求項１〜３の何れかに記載のヘアピン保持具。
【請求項５】
前記磁石が円板状又は環状に形成されていることを特徴とする、請求項１〜４の何れかに記載のヘアピン保持具。
【請求項６】
前記保持部が、多角形状に形成されていることを特徴とする、請求項１〜３のいずれかに記載のヘアピン保持具。
【請求項７】
前記装着部は、手首に付ける伸縮性リストバンドを含むことを特徴とする、請求項１〜６の何れかに記載のヘアピン保持具。
【請求項８】
前記装着部は、手首に巻き付けて止めるバンドを含むことを特徴とする、請求項１〜６の何れかに記載のヘアピン保持具。
【請求項９】
前記装着部は、基端が前記保持部に固定された一対の弾性片を備え、両弾性片は、手首に添って湾曲する湾曲部と、両弾性片の自由端間に形成されて前記手首を両弾性片間に案内する案内部とを含むことを特徴とする、請求項１〜６の何れかに記載のヘアピン保持具。
【発明の詳細な説明】
【技術分野】
【０００１】
本発明は、ヘアピンの使用や取り扱いを便利にするためのヘアピン保持具に関するものである。
【背景技術】
【０００２】
例えば、美容院や理容院等において多用されているヘアピンは、不使用時にはピンボックスなどの専用の容器に入れておき、使用時にはその都度、容器から取り出して使用するのが一般的である。
【０００３】
このピン留め作業では、通常、２０〜３０個のヘアピンを使うことが多い。ピン留め作業中は忙しく、ピンボックスに収容したピンを探して取るという行動は、体制を崩したり目線をそらしたりするので現場では難しく、アシスタントがピンを一個一個準備して手渡していた。
【０００４】
ヘアピンには複数のタイプ、色、サイズがあり、瞬時に使うものを判断しているので、視線内にいくつもいの種類が無いと作業が難しい。
【０００５】
これに対し、特許文献１には、ヘアピンの仮保持や開脚などの取り扱いが容易にできるヘアピンケースホルダの技術が記載されている。
【０００６】
このヘアピンケースホルダは、ヘアピンケースを収納可能とする上方開放の収納部が設けられたホルダ本体と、このホルダ本体に対して収納部の上方開放部分まわりで外方向へ張り出され、ヘアピンの差し込みが可能とされたフランジ部とを有し、フランジ部にはこれに差し込まれたヘアピンを上下に揺動することによってその片脚を挿入させ開脚可能にする開口部が設けられている。
【先行技術文献】
【特許文献】
【０００７】
【特許文献１】特開２００５−１１８４４９号公報
【発明の概要】
【発明が解決しようとする課題】
【０００８】
特許文献１に記載のヘアピンケースホルダの場合、単なる箱容器などにヘアピンを収容しておくのに比べて、ヘアピンの仮保持や開脚などの取り扱いが容易にできる利点が得られる。
【０００９】
しかしながら、このヘアピンケースホルダでは、これを例えば美容院や理容院で使用するには、依然として不便さが残る。
即ち、このヘアピンケースホルダのフランジ部分にヘアピンを仮保持しておく際、ヘアピンを開脚させてフランジを挟む形態とする作業が必要となり、その分、手間がかかる問題がある。
【００１０】
さらに、このヘアピンケースホルダは近くに置いて、例えばコンテナ等に置いて作業することになるため、作業位置によっては手が届かなくなり、その分、作業性が低下してしまう問題もある。
【００１１】
また、複数のヘアピンを手に持って作業することもできるが、美容師や理容師は両手全体を使用して作業を行うことが多いため、作業に支障をきたす恐れがあり、好ましくない。
【００１２】
よって、本発明は、ヘアピンの仮保持の形態に工夫することで、ヘアピンの開脚操作を不要にすると共に、ヘアピン仮置き部をより身近な位置に配置可能にして、作業性の向上、取扱い性の向上、並びに両手全体の使用を可能にすることができるヘアピン保持具を提供することを課題とする。
【課題を解決するための手段】
【００１３】
上記課題を解決するために、本発明は、ヘアピンの保持部と、その保持部を腕に装着する装着部とを備えたヘアピン保持具であって、
前記ヘアピン保持部には、ヘアピンを磁力によって仮保持する磁石が設けられていることを特徴とする。
【００１４】
本発明によれば、保持部に設けた磁石にヘアピンを磁力で吸着させて仮置きすることができるので、ヘアピンの開脚操作を不要にすることができる。さらに、ヘアピン保持部に腕への装着部を設けたことにより、ヘアピン保持部をより身近な位置に配置可能にして、作業性の向上、使い勝手の向上、両手全体の使用を可能にすることができる。
【００１５】
本発明の好ましい形態では、前記ヘアピンの保持部が、前記装着部に対して着脱可能であることを特徴とする。
このように、ヘアピンの保持部を装着部に対して着脱可能にすることで、ヘアピンを使用しないときには、ヘアピンの保持部を外しておくことができる。これにより、カットやスタイリング作業などのピン留め以外の作業時に邪魔にならないようにすることができる。
【００１６】
本発明の好ましい形態では、前記ヘアピンの保持部が、板状の本体部と、その本体部に設けられた磁石とにより形成されていることを特徴とする。
このように、ヘアピンの保持部を、板状の本体部と、その本体部に設けた磁石とにより形成することで、磁石自体を必要な位置に必要な形状で配置することができる。これにより、保持部全体の軽量化を図ることが可能になる。
【００１７】
本発明の好ましい形態では、前記保持部が、円板状に形成されていることを特徴とする。
このように、保持部を円板状とすることで、保持部の周囲に角部が無くなり、その分、取扱い性が良くなるので、特に、手首付近に装着して用いるヘアピン保持具として、極めて便利な形態とすることができる。
しかも、このように保持部を円板状に形成することで、保持部の上面に対して、多数のヘアピンを効率的に仮置きすることができる。例えば、円板状の周囲に沿って放射状にヘアピンを仮置きすることができる。
【００１８】
本発明の好ましい形態では、前記磁石が円板状又は環状に形成されていることを特徴とする。
磁石を円板状又は環状に形成した場合、円板状の保持部に対して好適な組み合わせにすることができる。特に、磁石を環状に形成した場合には、磁石の使用量の軽減及び軽量化の両方を実現することができる。
【００１９】
本発明の好ましい形態では、前記保持部が、４角形以上の多角形状に形成され、かつ、各角部が曲面に形成されていることを特徴とする。
このように、保持部を４角形以上の多角形状に形成し、各角部を曲面に形成することで、円板状の保持部とほぼ同様の作用効果を発揮させることが可能になる。
【００２０】
本発明の好ましい形態では、前記装着部は、基端が前記保持部に固定された一対の弾性片を備え、両弾性片は、手首に添って湾曲する湾曲部と、両弾性片の自由端間に形成されて前記手首を両弾性片間に案内する案内部とを含むことを特徴とする。
装着部をこのように構成した場合、両弾性片間の案内部により、例えば手首付近に対して装着部をワンタッチで装着したり外したりすることができるので、ヘアピン保持具自体の取扱い性も格段に向上する。
【００２１】
本発明の好ましい形態では、前記装着部は、手首に付けて止める伸縮性のリストバンドを含むことを特徴とする。
装着部をこのように構成した場合、手首に対して装着部を簡易に装着したり外したりすることができる上に、リストバンドという装飾具に近いデザイン性を高めた装着部を構成することができる。
【００２２】
本発明の好ましい形態では、前記装着部は、手首に巻き付けて止めるバンドを含むことを特徴とする。
装着部をこのように構成した場合も、手首付近に対して装着部を簡易に装着したり外したりすることができる。
【発明の効果】
【００２３】
本発明によれば、ヘアピンの仮保持の形態に工夫することで、ヘアピンの開脚操作を不要にすると共に、ヘアピン仮置き部をより身近な位置に配置可能にして、ピン留め作業性の向上、取扱い性の向上、両手全体の使用を可能にすることができる。
【図面の簡単な説明】
【００２４】
【図１】本発明の実施形態１に係るヘアピン保持具を示す斜視図である。
【図２】本発明の実施形態１に係るヘアピン保持具を示す斜視図である。
【図３】本発明の実施形態１に係るヘアピン保持具の断面図である。
【図４】本発明の実施形態１に係るヘアピン保持具の一部断面側面図である。
【図５】本発明の実施形態１に係るヘアピン保持具を手首付近に装着した例を示す説明図である。
【図６】本発明の実施形態１に係るヘアピン保持具の平面図である。
【図７】本発明の実施形態２に係るヘアピン保持具の平面図である。
【図８】本発明の実施形態２に係るヘアピン保持具の平面図である。
【図９】本発明の実施形態２に係るヘアピン保持具の断面図である。
【図１０】本発明の実施形態３に係るヘアピン保持具の平面図である。
【図１１】本発明の実施形態３に係るヘアピン保持具の断面図である。
【図１２】本発明の実施形態３に係るヘアピン保持具の作用説明図である。
【図１３】本発明の実施形態４に係るヘアピン保持具の一部断面側面図である。
【図１４】本発明の実施形態５に係るヘアピン保持具を示すもので、（ａ）は保持部の斜視図、（ｂ）は断面図、（ｃ）は装着部の斜視図である。
【発明を実施するための形態】
【００２５】
以下、本発明の実施形態について図１ないし図１４を参照して説明する。
＜実施形態１＞
図１〜図６は、本発明のヘアピン保持具の保持部を円板状に形成した例を示すものである。これらの図において、１はヘアピン保持具全体を示し、２は保持部を、３は装着部を示している。次いで、これらの詳細について説明する。
【００２６】
ヘアピン保持具１は、図１〜図３に示すように、薄い円板状のヘアピン保持部２と、その保持部２を腕に装着する装着部３とを備えている。保持部２には、図６に示すヘアピン（アメピンＰ１）、（ユーピンＰ２）等を磁力によって仮保持する磁石５が設けられている。
【００２７】
保持部２は、円板状の本体部２１と、本体部２１に設けられた円板状の磁石5と、により構成されている。本体部２１には、平面円形で所定の深さの凹部２２が設けられ、この凹部２２内に円板状磁石５が嵌め込まれている。図示例においては、凹部２２の深さと、円板状磁石５の厚さとがほぼ同一に形成され、これにより、本体部２１の表面と磁石５の表面とが段差のない均一な面に形成されている。なお、本体部２１の装飾性に配慮して、本体部２１の表面コート層を施しても良い。
【００２８】
本体部２１は、合成樹脂や板材等の軽量材料により形成されている。磁石５としては、フェライト、ネオジウム、サマリウムコバルト、アルニコ等の磁力の強いものが好ましいが、それほど強くないものも使用することができる。なお、後述する理由により、磁力が強く軽量な磁石ほど好ましい。
【００２９】
装着部３は、この実施形態では、保持部２の下面に着脱可能に固定されている。装着部３は、図２に示すように、板状の中央連結部３１と、その両側から下方に延びる一対の弾性片３２、３２と、を備えている。中央連結部３１の上面には凹所が設けられ、この凹所内に、中央連結部３１を保持部２の下面に対して磁力によって固定するための固定用磁石６が嵌め込まれている。この固定用磁石６は金属板でも良い。
【００３０】
両弾性片３１、３２は、手首7に添って湾曲する湾曲部３２ａ、３２ａと、両弾性片３２、３２の自由端間に形成されて手首７付近を両弾性片３２、３２間に案内する案内部３２ｂ、３２ｂと、を有している。
【００３１】
案内部３２ｂ、３２ｂは、外向きに広がっていて、手首７付近を湾曲部３２ａ、３２ａ間に案内する機能を有している。この案内機能は、両弾性片３２、３２が図１２に示すように弾性変形させられて広がる機能と協働して発揮できるように設定されている。
【００３２】
弾性片３２、３２を形成する材料としては、特に、弾力性や耐久性のある合成樹脂が好ましいが、弾性のある金属を内蔵した樹脂や合成ゴム等で形成することもできる。
【００３３】
なお、ヘアピンＰ１、Ｐ２としては、多数の種類を使用可能であるが、磁石５の磁力で吸着可能な金属で形成されているか、その種の金属が一部に使用されていることが好ましい。
【００３４】
本実施形態１によれば、保持部２に設けた磁石５にヘアピンＰ１、Ｐ２を、磁石５の磁力で吸着させて仮置きすることができるので、ヘアピンの開脚操作を不要にすることができる。さらに、ヘアピン保持部２に腕９（手首６）への装着部３を設けたことにより、ヘアピン保持部２をより身近な位置に配置可能にして、作業性の向上、使い勝手の向上、並びに両手全体の使用を可能にすることができる。
【００３５】
また、ヘアピンの保持部２を装着部３に対して着脱可能にすることで、ヘアピンを使用しないときには、ヘアピンの保持部２を外しておくことができる。これにより、カットやスタイリング作業などのピン留め以外の作業時に邪魔にならないようにすることができる。
【００３６】
また、このように、保持部２を装着部３に対して着脱可能にしてあるので、保持部２を複数準備すれば、それぞれの保持部２に違うタイプのヘアピン等をセットしておくことができる。これにより、各ヘアピン付き保持部２を必要に応じてカートリッジ式に簡単に交換して（付け替えて）使用することができる。また、ヘアピンを使い切った場合でも、カートリッジ式に直ぐに補充することもできる。
【００３７】
また、本実施形態によれば、多数のヘアピンの全部が磁石５にちょっと付いていることで、各種作業をワンストップで行えるように、図６に示すように最初から綺麗に整理して並べておくこともできる。
【００３８】
また、全てのヘアピンが作業中に目線内にあることで、最適なピンチョイスができる。さらに、ピン留め作業中の手の動線を格段に最小化できるために大幅なスピードアップを図ることができる。
【００３９】
これらの結果、従来から必要であった、ピン留め作業時におけるアシスタントを不要にすることができる。
【００４０】
また、ヘアピンの保持部２を、板状の本体部２１と、その本体部２１に設けた磁石５とにより形成することで、磁石自体を必要な位置に必要な形状で配置することができる。これにより、保持部全体の軽量化を図ることが可能になる。
【００４１】
また、保持部２を円板状とすることで、保持部の周囲に角部が無くなり、その分、取扱い性が良くなるので、特に、手首付近に装着して用いるヘアピン保持具として、極めて便利な形態とすることができる。
【００４２】
しかも、このように保持部２を円板状に形成することで、保持部２の上面に対して、多数のヘアピンＰ１、Ｐ２を効率的に仮置きすることができる。例えば、図６に示すように、円板状の周囲に沿って放射状にヘアピンを仮置きすることができる。
【００４３】
＜実施形態２＞
図７〜図９は、本発明の実施形態２に係るヘアピン保持具を示す図である。なお、これらの図において、図１ないし図６と基本的に同一構成要素については同一の符号を付してその説明を簡略化する。
【００４４】
この実施形態２におけるヘアピン保持具１も、円板状の保持部２と、その保持部２を腕に装着する装着部３とを備え、保持部２には、ヘアピンＰ１、Ｐ２を磁力によって仮保持する磁石５が設けられている。
【００４５】
保持部２は、円板状の本体部２１と、本体部２１に設けられた環状（リング状）の磁石5と、により構成されている。本体部２１には、所定の深さの環状の凹部２２が設けられ、この凹部２２内に環状の磁石５が嵌め込まれている。したがって、本体部２１には磁石５が存在しない、中央円形部２１ａが形成されているが、この中央円形部２１ａの下面には、薄い金属板８が貼り付けられている。
【００４６】
このように、磁石５を環状に形成することで、磁石の使用量を減らして軽量化及び低コスト化を図ることができる。  また、磁石５を環状に形成した場合、円板状の保持部２に対して好適な組み合わせにすることができる。
【００４７】
＜実施形態３＞
図１０〜図１２は、本発明の実施形態３に係るヘアピン保持具を示す図である。なお、これらの図において、図１ないし図９と基本的に同一構成要素については同一の符号を付してその説明を簡略化する。
【００４８】
この実施形態３では、装着部３を、保持部２の下面に固定した例を示している。装着部３は、それぞれの基端が保持部２の下面に固定された一対の弾性片３２、３２を備えている。両弾性片３２、３２は、手首に添って湾曲する湾曲部３２ａ、３２ａと、両弾性片３２、３２の自由端間に形成されて手首６付近を両弾性片３２、３２間に案内する案内部３２ｂ、３２ｂと、を有している。
【００４９】
案内部３２ｂ、３２ｂは、外向きに広がっていて、手首６付近を湾曲部３２ａ、３２ａ間に案内する機能を有している。この案内機能は、両弾性片３２、３２が図１２に示すように弾性変形させられて広がる機能と協働して発揮できるように設定されている。
【００５０】
この実施形態３においては、保持部２と装着部３とが固定されているが、両弾性片３２、３２を、図１２に示すように弾性変形させて着脱することができる。なお、この構成の場合には、このヘアピン保持具１を複数個準備しておくことで、実施形態１から３に係るヘアピン保持具１とほぼ同様の作用効果を発揮させることが可能になる。
【００５１】
また、この実施形態３によれば、装着部３は、基端が保持部２に固定された一対の弾性片３２、３２を備え、両弾性片３２、３２は、手首に添って湾曲する湾曲部３２ａと、両弾性片の自由端間に形成されて前記手首を両弾性片間に案内する案内部３２ｂ、３２ｂとを含む。したがって、両弾性片間の案内部により、例えば手首付近に対して装着部をワンタッチで装着したり外したりすることができるので、装着部３の基端を保持部２に固定していても、ヘアピン保持具自体の取扱い性を格段に向上させることができる。
【００５２】
＜実施形態４＞
図１３は、本発明の実施形態４に係るヘアピン保持具を示す図である。なお、同図において、図１ないし図１２と基本的に同一構成要素については同一の符号を付してその説明を簡略化する。
【００５３】
この実施形態４では、保持部２の下面側に設ける装着部３を、金具３３ａ付きバンド片３３と、孔３４ａ付きバンド片３４とからなる止めバンドにより構成した点に特徴がある。このように、装着部３を止めバンドにより構成した場合、保持部２を腕にしっかりと装着することができるので、作業性や取扱い性をさらに高めることができる。
【００５４】
なお、この実施形態４では、保持部２の下面側に装着部３を固定しているが、実施形態１、２で示したように、磁石６を利用して着脱式に構成してもよい。
【００５５】
＜実施形態５＞
図１４は、本発明の実施形態５に係るヘアピン保持具を示す図である。なお、同図において、図１ないし図１３と基本的に同一構成要素については同一の符号を付してその説明を簡略化する。
【００５６】
この実施形態５では、装着部３を止めバンドにより構成するのに代えて、伸縮性のあるリストバンド３５を採用すると共に、保持部２と装着部３を着脱式としたものである。
【００５７】
即ち、この実施形態の装着部３は、図１４（ｃ）に示すように、手首等に容易に装着可能な幅広のリストバンド３５を備えている。このリストバンド３５の表面中央部には、磁性体からなる円形の金属板３６が接着等の手段により固定されている。
【００５８】
そして、この円形金属板３６の中央部には、図１４（ｂ）に示すように、保持部２の下面中央部に設けられた円形凹部２５に嵌り込む円形凸部３７が設けられている。これら円形凹部２５及び円形凸部３７は、特別に図示していないが、互いに容易に嵌め合わせることが可能な形状やクリアランスとなるように設定されている。
【００５９】
リストバンド３５の素材としては、ニット、毛綿、パイル織り、シリコンなど、リストバンドに好適な素材であれば良く、特に限定されない。
【００６０】
この実施形態５によれば、機能的には上記各実施形態とほぼ同様の作用効果を発揮できる上に、リストバンドという装飾具に近いデザイン性を高めた装着部を構成することができる。さらに、実施形態のように幅広のリストバンド３５を用いた場合には保持部２から手首を保護することができる上に、保持部２とのバランス良い組み合わせとすることができる。
【００６１】
また、金属板３６に磁石５が吸着することで、保持部２を装着部３に着脱可能に取り付けることができる。したがって、保持部２が不要なときには容易に外しておくことができる。なお、保持部２は一体化してもよい。
【００６２】
なお、上記実施形態では、保持部２を円板状に形成した例を示したが、４角形以上の多角形状に形成し、かつ、各角部を曲面に形成しても良い。
【００６３】
このように、保持部２を４角形以上の多角形状に形成し、各角部を曲面に形成することで、円板状の保持部２とほぼ同様の作用効果を発揮させることが可能になる。
【符号の説明】
【００６４】
１  ヘアピン保持具
２  保持部
２１  本体部
２２  凹部
２５  円形凹部
３  装着部
３１  中央連結部
３２  弾性片
３３、３４  バンド片
３５  リストバンド
３６  金属板
３７  円形凸部
５  磁石
６  磁石
７  手首
８  金属板
９  腕
Ｐ１、Ｐ２  ヘアピン
【図１】
2014113208.tif 000003
【図２】
2014113208.tif 000004
【図３】
2014113208.tif 000005
【図４】
2014113208.tif 000006
【図５】
2014113208.tif 000007
【図６】
2014113208.tif 000008
【図７】
2014113208.tif 000009
【図８】
2014113208.tif 000010
【図９】
2014113208.tif 000011
【図１０】
2014113208.tif 000012
【図１１】
2014113208.tif 000013
【図１２】
2014113208.tif 000014
【図１３】
2014113208.tif 000015
【図１４】
2014113208.tif 000016
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
ヘアピンの保持部と、その保持部を腕に装着する装着部と、を備えたヘアピン保持具であって、
前記ヘアピンの保持部には、ヘアピンを磁力によって仮保持する磁石が設けられ、
前記ヘアピンの保持部が、前記装着部に対して着脱可能であることを特徴とするヘアピン保持具。
【請求項２】
前記保持部が、板状の本体部と、その本体部に設けられた磁石とにより形成されていることを特徴とする、請求項１に記載のヘアピン保持具。
【請求項３】
前記保持部が、円板状に形成されていることを特徴とする、請求項１又は２に記載のヘアピン保持具。
【請求項４】
前記磁石が円板状又は環状に形成されていることを特徴とする、請求項１〜３の何れかに記載のヘアピン保持具。
【請求項５】
前記保持部が、多角形状に形成されていることを特徴とする、請求項１〜３のいずれかに記載のヘアピン保持具。
【請求項６】
前記装着部は、手首に付ける伸縮性リストバンドを含むことを特徴とする、請求項１〜５の何れかに記載のヘアピン保持具。
【請求項７】
前記装着部は、手首に巻き付けて止めるバンドを含むことを特徴とする、請求項１〜５の何れかに記載のヘアピン保持具。
【請求項８】
前記装着部は、基端が前記保持部に固定された一対の弾性片を備え、両弾性片は、手首に添って湾曲する湾曲部と、両弾性片の自由端間に形成されて前記手首を両弾性片間に案内する案内部とを含むことを特徴とする、請求項１〜５の何れかに記載のヘアピン保持具。